(57)【要約】【課題】  １１０番や１１９番等の緊急連絡ラインを使用することができるＩＰ電話装置を提供する。【解決手段】  ＣＰＵ２３は電話番号がダイヤルされたと判断すると（Ｓ１でＹ）、入力電話番号がＲＡＭ２４に記憶されている登録電話番号と一致するかどうかの判断を行う（Ｓ２）。そして、一致する場合は（Ｓ２でＹ）は通信Ｉ／Ｆ２１を介して携帯電話装置１２から入力された電話番号に発信を行うように制御して処理を終える。一方、入力電話番号がＲＡＭ２４に記憶されている登録電話番号と一致しないと判断した場合は（Ｓ２でＮ）、インターネットであるＩＰネットワーク４を介して入力電話番号に対して発信を行うように制御して処理を終える。【選択図】      図３
2006157187.tif 000002
【特許請求の範囲】
【請求項１】
音声データをパケット化して通信を行うＩＰ電話装置において、無線通信を利用して基地局との間で通信を行う通信端末と相互通信を行う通信インターフェースを備え、発信先が緊急連絡番号の場合に、前記通信端末を用いて前記緊急連絡番号との間で回線を接続するようにしたことを特徴とするＩＰ電話装置。
【請求項２】
請求項１記載のＩＰ電話装置において、電話番号を記憶する記憶手段と、入力された入力電話番号が前記記憶手段に記憶された電話番号か否かを判断する判断手段と、制御手段と、を備え、前記制御手段は、前記入力電話番号が前記記憶手段に記憶されている電話番号と一致する場合は、前記通信インターフェースを介して前記通信端末から前記電話番号に対して発信を行うように制御すると共に、前記入力電話番号が前記記憶手段に記憶されている電話番号と一致しない場合は、インターネットを介して前記電話番号に対して発信を行うように制御することを特徴とするＩＰ電話装置。
【発明の詳細な説明】
【技術分野】
【０００１】
本発明はインターネットを用いて電話サービスを提供するＩＰ電話装置に係り、特に１１０番や１１９番などの緊急ラインへの接続に関するものである。
【背景技術】
【０００２】
近年、インターネットを利用したＩＰ（Internet Protocol）電話装置が普及しているが、ＩＰ電話装置では１１０番や１１９番等の緊急連絡ラインを使用した場合には接続に不具合が発生するおそれがある。このため、緊急ラインと接続するための提案がなされている。
例えば特許文献１には、通信回線が１１０番または１１９番などの緊急ラインである場合、その通信回線が切断された場合でも再接続を可能とするＩＰ電話装置が開示されている。
【特許文献１】特許第３１３９６２３号公報
【発明の開示】
【発明が解決しようとする課題】
【０００３】
上記のように従来のＩＰ電話装置においては、１１０番や１１９番等の緊急連絡ラインを使用した場合には接続に不具合が発生するおそれがあった。
そこで、本発明は１１０番や１１９番等の緊急連絡ラインを使用することができるＩＰ電話装置を提供することを目的とする。
【課題を解決するための手段】
【０００４】
上記目的を達成するため、請求項１記載の発明は、音声データをパケット化して通信を行うＩＰ電話装置において、無線通信を利用して基地局との間で通信を行う通信端末と相互通信を行う通信インターフェースを備え、発信先が緊急連絡番号の場合に、前記通信端末を用いて前記緊急連絡番号との間で回線を接続するようにしたことを特徴とする。
請求項２記載の発明は、請求項１記載のＩＰ電話装置において、電話番号を記憶する記憶手段と、入力された入力電話番号が前記記憶手段に記憶された電話番号か否かを判断する判断手段と、制御手段と、を備え、前記制御手段は、前記入力電話番号が前記記憶手段に記憶されている電話番号と一致する場合は、前記通信インターフェースを介して前記通信端末から前記電話番号に対して発信を行うように制御すると共に、前記入力電話番号が前記記憶手段に記憶されている電話番号と一致しない場合は、インターネットを介して前記電話番号に対して発信を行うように制御することを特徴とする。
【発明の効果】
【０００５】
本発明のＩＰ電話装置は、無線通信を利用して基地局との間で通信を行うことができる通信端末と相互通信を行う通信インターフェースを設け、緊急連絡ラインを使用する場合は通信端末から緊急連絡先に回線を接続することで、確実に緊急連絡ラインを確保することができるようになる。
【発明を実施するための最良の形態】
【０００６】
以下、添付図面を参照しながら、本発明の実施の形態を詳細に説明する。
図１は、本実施の形態に係るＩＰ電話のシステム全体の構成を示した図である。
この図１に示すＩＰ電話装置１は発信者が受話器を取って相手先電話番号をダイヤルすると、その通話内容はアナログ音声としてＩＰ電話アダプタ装置２へと送信される。ＩＰ電話アダプタ２はＩＰ電話装置１から取り込んだアナログ音声信号をディジタル信号に変換（音声符号化）してＩＰパケット化する。ＩＰ電話アダプタ２によりアナログ信号から変換された音声パケットはＡＤＳＬ回線等によりＩＰ電話事業者３を経由してＩＰネットワーク４上を、ルータを経由して伝送されることになる。
ここで、ＩＰ電話装置１の相手先がＩＰ電話６であった場合、相手先のＩＰ電話アダプタ装置５により音声パケットがアナログ音声に変換され、相手先のＩＰ電話６へと接続される。
また、相手先が一般加入電話であった場合、ＩＰネットワーク４上からゲートウェイ７により音声パケットをアナログ音声に変換し、電話網８を経由して相手先の一般加入電話９へと接続されることになる。
このような電話通信方式を採用したＩＰ電話サービスにおいて使用されるＩＰ電話装置１においては、通常、例えばＩＰ電話装置１の発信先が１１０番または１１９番などの緊急ラインである場合でもＩＰネットワーク４上からＩＰアダプタ又はゲートウェイ１０を介して最寄りの緊急連絡先１１に接続することになるが、ＩＰ電話の場合は、１１０番や１１９番のような緊急のラインであっても他の通常の発信と同一接続品質でもって処理が行われるため、緊急ラインが接続された後に過負荷等の何らかの理由により回線が切断されても発呼者の識別は可能であるものの再接続を行うことができなかった。
そこで、本実施の形態のＩＰ電話装置１においては、発信先が１１０番や１１９番のような緊急連絡ライン等の場合は、携帯電話装置１２を用いて最寄りの緊急連絡先との間で回線を接続するようにしている。携帯電話装置１２は、無線通信を利用して基地局との間で通信を行うことができる通信端末である。
【０００７】
図２は本実施の形態のＩＰ電話装置の内部構成を示した図である。
この図２に示すように、本実施の形態のＩＰ電話装置１は、通信インターフェース（Ｉ／Ｆ）２１、電話Ｉ／Ｆ２２、ＣＰＵ２３、ＲＡＭ２４、及び通信手段２５が夫々バスライン２６に接続されている。
通信Ｉ／Ｆ２１は携帯電話装置１２との間で相互通信を行うためのインターフェースである。電話Ｉ／Ｆ２２は、図示しない電話機と接続するためのインターフェースである。ＣＰＵ２３は本実施の形態のＩＰ電話装置１の制御を行う。ＲＡＭ２４には、予め１１０番や１１９番などの緊急連絡番号が登録電話番号として記憶されている。通信手段２５は回線又はＬＡＮ等に接続するためのインターフェースである。
そして、このような本実施の形態のＩＰ電話装置１においては、ＣＰＵ２３において、発信者が受話器を取ってダイヤルした番号が緊急連絡番号であるか否の判断を行い、緊急連絡番号と判断した場合は通信Ｉ／Ｆ２１を介して接続されている携帯電話装置１２から最寄りの緊急連絡先１１に発信するようにしている。このようにすれば、ＩＰ電話装置１から緊急連絡番号に発信する場合は、携帯電話装置１２により回線を接続することができるのでＩＰ電話装置１において緊急連絡ラインを利用することができるようになる。
【０００８】
図３は、本実施の形態のＩＰ電話装置が実行する処理を示したフローチャートである。
なお、図３に示す処理動作は、上記図２に示したＣＰＵ２３が図示しないＲＯＭやＲＡＭ２４などに記憶されているプログラムを実行することにより実現されるものである。
この場合、ＣＰＵ２３は電話番号がダイヤルされたと判断すると（Ｓ１でＹ）、入力電話番号がＲＡＭ２４に記憶されている登録電話番号と一致するかどうかの判断を行う（Ｓ２）。そして、一致する場合は（Ｓ２でＹ）、通信Ｉ／Ｆ２１を介して携帯電話装置１２から入力された電話番号に発信を行うように制御して処理を終えることになる。
一方、入力電話番号がＲＡＭ２４に記憶されている登録電話番号と一致しないと判断した場合は（Ｓ２でＮ）、インターネットであるＩＰネットワーク４を介して入力電話番号に対して発信を行うように制御することで処理を終えることになる。
なお、本実施の形態では、緊急ラインとして１１０番や１１９番などの電話回線としているが、これはあくまでも一例であり、それ以外の電話回線を緊急ラインとして登録することももちろん可能である。
【図面の簡単な説明】
【０００９】
【図１】本発明の実施の形態に係るＩＰ電話装置全体の構成を示した図である。
【図２】本実施の形態のＩＰ電話装置の内部構成を示した図である。
【図３】本実施の形態のＩＰ電話装置が実行する処理を示したフローチャートである。
【符号の説明】
【００１０】
１、６  ＩＰ電話装置、２、５  ＩＰ電話アダプタ、３  ＩＰ電話事業者、４  ＩＰネットワーク、７  ゲートウェイ、８  電話網、９  一般加入電話、１１  緊急連絡先、１２  携帯電話装置、２１  通信Ｉ／Ｆ、２２  電話Ｉ／Ｆ、２３  ＣＰＵ、２４  ＲＡＭ、２５  通信手段、２６  バスライン
【図１】
2006157187.tif 000003
【図２】
2006157187.tif 000004
【図３】
2006157187.tif 000005